(57)【要約】      （修正有）【課題】袋体の開口部の密閉状態を確実に維持することができ、しかも生産性が向上し且つコストが低減できる圧縮収納袋を提供する。【解決手段】袋体１内に開口部２から布団・衣類を収納して当該開口部２を閉鎖すると共に、袋体１内の空気を排出して布団・衣類を圧縮した状態で収納し、袋体１の開口部２の一端から他端にかけて自己粘着式シール構造による密閉手段３と、真空掃除機または吸気機構の排気ノズルを接続して袋体１内の空気を排出する排気弁機構４とを有する。密閉手段３は、開口部２における表裏一対のシート１ａ，１ｂの内、少なくともいずれか一方のシート１ａ（１ｂ）の内面に設けた自己密着性フィルムによる粘着帯から構成し、粘着帯を他方の相対向面に接合粘着することにより密閉を行う。【選択図】図１
0003139962.tif 000002
【実用新案登録請求の範囲】
【請求項１】
袋体内に開口部から布団・衣類を収納して当該開口部を閉鎖すると共に、袋体内の空気を排出して布団・衣類を圧縮した状態で収納するようにした圧縮収納袋において、袋体の開口部に設けられた自己粘着式シール構造による密閉手段と、真空掃除機または吸気機構の排気ノズルを接続して袋体内の空気を排出するよう当該袋体側面の任意の箇所に設けられた排気弁機構とを有してなることを特徴とする圧縮収納袋。
【請求項２】
密閉手段は、開口部における表裏一対のシートの内、少なくともいずれか一方のシートの内面に設けられた自己密着性フィルムによる粘着帯から構成され、粘着帯によって接合粘着させることで密閉を行うものとする請求項１記載の圧縮収納袋。
【請求項３】
排気弁機構は、袋体側面の任意の箇所に設けられ、袋体の内部に連通する空気流路を有する胴体と、該胴体に内装され上下に摺動可能とし空気流通路を介しての空気の流れを制御する排気弁とを備えてなる請求項１または２記載の圧縮収納袋。
【考案の詳細な説明】
【技術分野】
【０００１】
本考案は、家庭等で収納保管スペースを有効に利用すべく布団・衣類等を圧縮して嵩を減らして保管するために、袋体内の空気を排出して布団・衣類等を圧縮した状態で収納するようにした圧縮収納袋に関する。
【背景技術】
【０００２】
近年、布団・衣類等を収納するに際して、軟質の合成樹脂製の袋体内に布団・衣類等を収納して開口部を閉じると共に、袋体内の空気を排出することにより、布団・衣類等を圧縮した状態で収納するようにした、圧縮収納袋が広く用いられている。
【０００３】
従来から、この種の圧縮収納袋を形成する袋体の開口端側には、凹凸嵌合式のプラスチック製チャック構造による密閉手段が設けられている。この密閉手段は、先端が基端よりも若干膨らんだ突条を開口端における一方内面側に設け、この突条に嵌合する断面略Ｕ字状の凹溝条を他方内面側に設けておき、これら突条および凹溝条は袋体の開口端の全幅長にわたって設けられることで形成されている。
【０００４】
そして、圧縮収納袋の使用に際し、袋体の開口部から布団・衣類を入れてから密閉手段において突条と凹溝条とを嵌合する。このとき、突条と凹溝条との嵌合部分の一部を嵌合しないで開放しておき、そこに例えば真空掃除機の排気ノズルを挿通して袋体内部を脱気する。脱気後には未嵌合部分を再度嵌合して密封させることで布団・衣類が圧縮した状態で収納されるのである。
【特許文献１】特になし
【考案の開示】
【考案が解決しようとする課題】
【０００５】
しかしながら、従来においては、このような突条を凹溝条に嵌合させる密閉手段によるものでは、開口部の一端側から他端側の全体を完全に嵌合したか否かが判別し難い。その結果、全体を完全に嵌合したつもりでも、一部に完全に嵌合していない未嵌合の部分ができてしまうということがよくあり、このような場合には時間の経過により、内部に徐々に空気が入ってしまう。しかも全体を完全に嵌合できたとしても両者を単に嵌合しているだけのものであるため、時間の経過により両者の嵌合が緩んだような場合等には内部に徐々に空気が入ってしまう虞ある。
【０００６】
また、従来のような凹凸嵌合式のプラスチック製チャック構造による密閉手段では、その製作に材料費がかかり、しかもこの突条、凹溝条それぞれを袋体に付設するのに、製造が複雑になり且つ生産性が低下し、その結果、コストが上昇してしまうという欠点があった。
【０００７】
さらに、従来のように、突条と凹溝条との嵌合部分の一部開放箇所に、例えば真空掃除機の排気ノズルを挿通して袋体内部を脱気する方式では、排気ノズルの抜き取り後に直ぐに当該開放箇所を塞ぐ必要があるが、このとき袋体内には若干の空気が浸入してしまうことは避けられないものとなるという問題点もある。
【０００８】
そこで、本考案は叙上のような従来存した諸事情に鑑み創案されたもので、袋体の開口部の密閉状態を確実に維持することができ、しかもその製造時における生産性が向上し且つコストが低減されるものとし、さらに、真空掃除機や吸気機構等の排気ノズルを使用しての袋体の脱気後の排気ノズルの抜き出しに際し、袋体内への空気の浸入を完全に防止できるようにした圧縮収納袋を提供することを目的とする。
【課題を解決するための手段】
【０００９】
上述した課題を解決するため、本考案にあっては、袋体１内に開口部２から布団・衣類Ｐを収納して当該開口部２を閉鎖すると共に、袋体１内の空気を排出して布団・衣類Ｐを圧縮した状態で収納するようにした圧縮収納袋において、袋体１の開口部２に自己粘着式シール構造による密閉手段３と、真空掃除機または吸気機構の排気ノズルＱを接続して袋体１内の空気を排出するよう当該袋体１側面の任意の箇所に設けられた排気弁機構４とを有してなるものである。
また、密閉手段３は、開口部２における表裏一対のシート１ａ，１ｂの内、少なくともいずれか一方のシート１ａ（１ｂ）の内面に設けられた自己密着性フィルムによる粘着帯から構成され、粘着帯によって接合粘着させることで密閉を行うものとすることができる。
さらに、排気弁機構４は、袋体１側面の任意の箇所に設けられ、袋体１の内部に連通する空気流路４ｃを有する胴体４ｂと、該胴体４ｂに内装され上下に摺動可能とし空気流通路４ｃを介しての空気の流れを制御する排気弁４ｄとを備えてなるものとすることができる。
【００１０】
以上のように構成された本考案に係る圧縮収納袋にあって、自己粘着式シール構造による密閉手段３は、袋体１の開口部２から布団・衣類Ｐ等を入れて、自己密着性フィルムによる粘着帯を相対向面に密着させることで当該開口部２を密閉させる。
そして、袋体１側面の任意の箇所に設けられた排気弁機構４に接続された真空掃除機または吸気機構の排気ノズルＱによって袋体１内部を脱気させることで当該袋体１を圧縮させる。
このとき、排気弁機構４は、真空掃除機または吸気機構が作動した際に、ベルヌーイの原理によって排気弁４ｄの上面が負圧となって上昇移動され、胴体４ｂの中心下側の空気流路４ｃが開放されて、袋体１内の空気を排気ノズルＱによって脱気可能にさせる。
また、脱気後に排気弁機構４から排気ノズルＱを取り外すと、外気圧によって排気弁４ｄが下降し、胴体４ｂの中心下側の空気流路４ｃを密閉させて袋体１の気密保持を可能にさせる。
【考案の効果】
【００１１】
本考案によれば、袋体１の開口部２の密閉状態を確実に維持することができ、しかも製造時では粘着帯の付設で密閉手段３を構成できるから生産性が向上し且つコストが低減されるものとし、さらに、真空掃除機や吸気機構等の排気ノズルＱを使用しての袋体１の脱気後の排気ノズルＱの抜き出しに際し、袋体１内への空気の浸入を完全に防止することができる。
【００１２】
すなわち、これは本考案が、袋体１の開口部２に自己粘着式シール構造による密閉手段３と、真空掃除機または吸気機構の排気ノズルＱを接続して袋体１内の空気を排出するよう当該袋体１側面の任意の箇所に設けられた排気弁機構４とを有してなるからであり、これにより、袋体１の開口部２の密閉乃至開放が容易で、しかも従来のように、一部に完全に密閉していない部分ができてしまうということで、時間の経過により、内部に徐々に空気が入ってしまうことがなく、開口部２の密閉状態を確実に維持することができる。そして、この開口部２を密閉した状態のままで、袋体１側面の任意の箇所に設けられた排気弁機構４により袋体１内の空気を逆流防止状態となして脱気することから、脱気後の排気ノズルＱの抜き出しに際し、袋体１内への空気の浸入を完全に防止することができる。しかも、布団・衣類Ｐ等は袋体１によって嵩を減らした状態で保管可能としたことから、家庭等での収納保管スペースを有効に利用することができる。
【００１３】
また、密閉手段３は、開口部２における表裏一対のシート１ａ，１ｂの内、少なくともいずれか一方のシート１ａ（１ｂ）の内面に設けられた自己密着性フィルムによる粘着帯から構成され、粘着帯により接合粘着させることで密閉を行うものとするので、袋体１の開口部２の密閉乃至開放が容易且つ確実に行えると共に、構成が単純でしかも安価で経済的な自己密着性フィルムによる粘着帯を使用していることから、圧縮収納袋の生産性が向上し且つコストが低減される。
【００１４】
さらに、排気弁機構４は、袋体１側面の任意の箇所に設けられ、袋体１の内部に連通する空気流路４ｃを有する胴体４ｂと、該胴体４ｂに内装され上下に摺動可能とし空気流通路４ｃを介しての空気の流れを制御する排気弁４ｄとを備えてなるので、真空掃除機または吸気機構が作動した際に、ベルヌーイの原理によって排気弁４ｄの上面が負圧となって上昇移動され、胴体４ｂの中心下側の空気流路４ｃが開放されて、袋体１内の空気を排気ノズルＱによって脱気可能にさせる。それと共に、脱気後に排気弁機構４から排気ノズルＱを取り外すと、外気圧によって排気弁４ｄが下降し、胴体４ｂの中心下側の空気流路４ｃを密閉させて袋体１の気密保持を可能にさせることから、真空掃除機または吸気機構への吸引負荷が低減されて排気を円滑に行うことができ、これにより布団・衣類Ｐ等は袋体２と共に効率的に圧縮した状態に密封させておくことができる。
【００１５】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００１６】
以下、図面を参照して本考案を実施するための最良の一形態を説明する。図において示される符号１は、布団・衣類Ｐ等を圧縮した状態で収納するための袋体であり、該袋体１は、図１に示すように、表裏一対のシート１ａ，１ｂの３辺が熱融着されることで、あるいは所定幅員、所定長さの筒状シート材の一方の開口部分を閉塞することで、一端に開口部２を有する袋状に形成されたものである。
【００１７】
すなわち、袋体１は、例えば適宜肉厚の透明なプラスチックフィルム等から製袋されている。具体的には、このフィルムの材質は、ガスバリヤー性を有するナイロン・ポリエチレン等の積層シートが好ましい。尚、袋体１は、着色したり、表面に印刷等を施したりすることができる。
【００１８】
また、袋体１側面の任意の箇所には、真空掃除機または吸気機構の排気ノズルＱを接続して袋体１内の空気を逆流防止状態に排出するための排気弁機構４が取り付けられている。
【００１９】
すなわち、この排気弁機構４は、図２に示すように、袋体１側面の任意の箇所に開けられた開口を塞ぐように、外周縁に円板状の固定板４ａを有する円筒状の胴体４ｂが当該固定板４ａを介して取り付けられ、該胴体４ｂの中心下側には段差状に縮径された空気流路４ｃが形成されている。また、この固定板４ａ上面には外気を流入するための空気流入突起４ｉを放射状に形成して、そこに接続される排気ノズルＱの先端と支持板４ａの上面とを所定の間隔だけ隔離させている。
【００２０】
そして、胴体４ｂ内には、上下に摺動可能とし空気流通路４ｃを介しての空気の流れを制御する円形蓋状の排気弁４ｄが内装され、該排気弁４ｄの離脱および昇降幅を制限するための支持板４ｅが前記胴体４ｂ上を覆設して排気弁４ｄの上面を露出させている。
【００２１】
また、排気弁４ｄは、これが上昇移動した際には、当該排気弁４ｄの外周に穿設した開口部４ｆが上方へ外出して該開口部４ｆと空気流路４ｃとが連通し、排気が可能となる。さらに、排気弁４ｄの下端外周縁には係止突起４ｇが突設され、上昇移動した排気弁４ｄを前記支持板４ｅの内側に形成した被係止部４ｈによって係止させるものとしてある。
【００２２】
こうして、胴体４ｂを覆うようにして排気弁機構４に排気ノズルＱが接続され、真空掃除機または吸気機構が作動した際には、空気流入用突起４ｉを介して排気ノズルＱの先端と支持板４ａの上面とを所定の間隔だけ隔離されていることから、この間隔を介して外気が流入された際には、ベルヌーイの原理によって排気弁４ｄの上面が負圧となって上昇移動し、胴体４ｂの中心下側の空気流路４ｃが開放されて、袋体１内の空気を排気ノズルＱによって脱気可能とするようにしてある。
【００２３】
一方、脱気後には、排気弁機構４から排気ノズルＱを取り外すと、外気圧によって排気弁４ｄが押し下げられ、またさらに強制的に押し下げられることで排気弁４ｄを係合停止させて、胴体４ｂの中心下側の空気流路４ｃを密閉させるものとしてある。
【００２４】
また、袋体１の開口部２の一端から他端にかけて密着および剥離が可能な自己粘着式シール構造による密閉手段３が設けられている。使用に際し、袋体１の開口部２から布団・衣類Ｐ等を入れてから密閉手段３を閉じておき、袋体１側面の任意の箇所に設けられた前記排気弁機構４に接続された真空掃除機または吸気機構の排気ノズルＱによって袋体１内部を脱気させることで当該袋体１を圧縮させるものとしている（図３参照）。
【００２５】
具体的には、この密閉手段３は、図２に示すように、開口部２における少なくともいずれか一方のシート１ａ（１ｂ）縁部の内面に、一端から他端にかけて自己密着性フィルムによる粘着帯が熱融着等によって固設されてなり、粘着帯の表面が、これに相対向する他方のシート１ｂ（１ａ）に接合して粘着させることにより密閉を行うものとしてある。もとより、この密閉手段３において、対向するシート１ａ，１ｂ縁部の内面それぞれに、一端から他端にかけて自己密着性フィルムによる粘着帯を相対向させて対状に設けることでも良い。
【００２６】
この自己密着性フィルムは、同じフィルム同士を接触させた場合に容易に密着する性質を有するものであり、このようなフィルムとしては、例えば、塩化ビニル、ポリ塩化ビニリデン、酢酸ビニル、エチレン−ビニルアルコール共重合体、アイオノマー等のフィルムが挙げられる。
【００２７】
特に好ましい自己密着性フィルムの粘着剤としては、再剥離性、電気特性、耐薬品性、耐候性、耐水性に優れ、マイナス１０℃からプラス８０℃までの温度範囲で粘着力の変化が少ないゲル状のシリコーン樹脂粘着剤が挙げられる。
【００２８】
また、例えばＰ−２５０  ＥＶ３６０（三井デュポンポリケミカル株式会社の商品名）等のサーリン（米国デュポン社の商品名）とＥＶＡの共押出フィルム（サーリン２５％、ＥＶＡ２５％）であっても良く、これらは適度な密着力と剥離性を有する。
【００２９】
尚、本形態においては、開口部２における密閉手段３が当該開口部２の一端から他端にかけて１本の粘着帯が１列となって形成されているが、この粘着帯を開口部２において２列もしくは３列の複数列にして形成されていても良い。
【００３０】
次に、以上のように構成された最良の形態についての使用の一例について説明する。先ず、図３（ａ）に示すように、袋体１の開口部２から布団・衣類Ｐ等を入れ、自己粘着式シール構造による密閉手段３としての相対向する自己密着性フィルムによる粘着帯にて密着する。
【００３１】
そして、図３（ｂ）に示すように、排気弁機構４に排気ノズルＱを接続し、真空掃除機または吸気機構を作動させる。このとき、排気弁４ｄは、ベルヌーイの原理によって上面が負圧となって上昇移動し、胴体４ｂの空気流路４ｃが開放されて袋体１内の空気が排気ノズルＱによって脱気され、これにより袋体１全体が内部の布団・衣類Ｐ等と共に略均一に圧縮される。
【００３２】
一方、図３（ｃ）に示すように、脱気後には、排気弁機構４から排気ノズルＱを取り外すと、外気圧によって排気弁４ｄが押し下げられて係合停止し、胴体４ｂの空気流路４ｃが密閉されるものとなり、袋体１内への空気の浸入が完全に防止されるのである。
【図面の簡単な説明】
【００３３】
【図１】本考案を実施するための最良の形態における圧縮収納袋の一例を示す斜視図である。
【図２】図１中のＸ−Ｘ断面図である。
【図３】同じく圧縮収納袋の使用手順を示すもので、（ａ）は袋体内に布団・衣類等を入れる状態の斜視図、（ｂ）は粘着帯同士を密着してから排気ノズルを排気弁機構に接続した状態の斜視図、（ｃ）は排気ノズルからの脱気により布団・衣類等が袋体と共に圧縮された状態の斜視図である。
【符号の説明】
【００３４】
Ｐ…布団・衣類                          Ｑ…排気ノズル
１…袋体                                １ａ，１ｂ…シート
２…開口部                              ３…密閉手段
４…排気弁機構                          ４ａ…固定板
４ｂ…胴体                              ４ｃ…空気流路
４ｄ…排気弁                            ４ｅ…支持板
４ｆ…開口部                            ４ｇ…係止突起
４ｈ…被係止部                          ４ｉ…空気流入用突起
【図１】
0003139962.tif 000003
【図２】
0003139962.tif 000004
【図３】
0003139962.tif 000005